(57)【特許請求の範囲】
【請求項１】
少なくとも、公衆回線網を介してファクシミリ情報を送信する第１の送信モードと、ネットワークを介して電子メールを送信する第２の送信モードとを有するファクシミリ装置において、
名称と電話番号とを含む第１種別の相手先情報、および名称とメールアドレスとを含む第２種別の相手先情報を登録する登録手段と、
前記第１の送信モードと前記第２の送信モードのうち、いずれか一方の送信モードを選択する送信モード選択手段と、
前記送信モード選択手段により前記第１の送信モードが選択された場合は、前記登録手段に登録された相手先情報のうち前記第１種別の相手先情報を読み出し、当該読み出した相手先情報に含まれる名称を、各名称に含まれる文字列に従った所定の順序で表示する第１の表示制御手段と、
前記第１の表示制御手段により表示された名称のなかから少なくとも１つの名称が指定された場合に、当該指定された名称に対応する電話番号を用いてファクシミリ送信を行うファクシミリ送信手段と、
前記送信モード選択手段により前記第２の送信モードが選択された場合は、前記登録手段に登録された相手先情報のうち前記第２種別の相手先情報を読み出し、当該読み出した相手先情報に含まれる名称を、各名称に含まれる文字列に従った所定の順序で表示する第２の表示制御手段と、
前記第２の表示制御手段により表示された名称のなかから少なくとも１つの名称が指定された場合に、当該指定された名称に対応するメールアドレスを用いて電子メール送信を行う電子メール送信手段と、
前記送信モード選択手段により前記第１の送信モード及び前記第２の送信モードのいずれも選択されない場合は、前記登録手段に登録された前記第１種別の相手先情報及び前記第２種別の相手先情報を読み出し、当該読み出した相手先情報に含まれる名称を、各名称に含まれる文字列に従った所定の順序で、前記第１種別の相手先情報に含まれる名称と前記第２種別の相手先情報に含まれる名称とを混在させて表示する第３の表示制御手段と、
前記第３の表示制御手段により表示された名称のなかから少なくとも１つの名称が指定された場合に、当該指定された名称が前記第１種別の相手先情報に含まれるものか、または前記第２種別の相手先情報に含まれるものかを判別する判別手段と、
前記判別手段による判別の結果、前記指定された名称が前記第１種別の相手先情報に含まれるものである場合は、当該指定された名称に対応する電話番号を用いてファクシミリ送信を行うよう前記ファクシミリ送信手段を制御し、前記指定された名称が前記第２種別の相手先情報に含まれるものである場合は、当該指定された名称に対応するメールアドレスを用いて電子メール送信を行うよう前記電子メール送信手段を制御する制御手段と、
を備えることを特徴とするファクシミリ装置。
【請求項２】
前記第１乃至第３の表示制御手段は、ユーザによるキー操作に応じて名称を１つずつ切り替えて表示することを特徴とする請求項１に記載のファクリミリ装置。
【請求項３】
前記所定の順序とは、アルファベット順であることを特徴とする請求項１または２に記載のファクシミリ装置。
【請求項４】
少なくとも、公衆回線網を介してファクシミリ情報を送信する第１の送信モードと、ネットワークを介して電子メールを送信する第２の送信モードとを有するファクシミリ装置の制御方法において、
名称と電話番号とを含む第１種別の相手先情報、および名称とメールアドレスとを含む第２種別の相手先情報を登録する登録工程と、
前記第１の送信モードと前記第２の送信モードのうち、いずれか一方の送信モードを選択する送信モード選択工程と、
前記送信モード選択工程で前記第１の送信モードが選択された場合は、前記登録工程で登録された相手先情報のうち前記第１種別の相手先情報を読み出し、当該読み出した相手先情報に含まれる名称を、各名称に含まれる文字列に従った所定の順序で表示する第１の表示制御工程と、
前記第１の表示制御工程で表示された名称のなかから少なくとも１つの名称が指定された場合に、当該指定された名称に対応する電話番号を用いてファクシミリ送信を行うファクシミリ送信工程と、
前記送信モード選択工程で前記第２の送信モードが選択された場合は、前記登録工程で登録された相手先情報のうち前記第２種別の相手先情報を読み出し、当該読み出した相手先情報に含まれる名称を、各名称に含まれる文字列に従った所定の順序で表示する第２の表示制御工程と、
前記第２の表示制御工程で表示された名称のなかから少なくとも１つの名称が指定された場合に、当該指定された名称に対応するメールアドレスを用いて電子メール送信を行う電子メール送信工程と、
前記送信モード選択工程で前記第１の送信モード及び前記第２の送信モードのいずれも選択されない場合は、前記登録工程で登録された前記第１種別の相手先情報及び前記第２種別の相手先情報を読み出し、当該読み出した相手先情報に含まれる名称を、各名称に含まれる文字列に従った所定の順序で、前記第１種別の相手先情報に含まれる名称と前記第２種別の相手先情報に含まれる名称とを混在させて表示する第３の表示制御工程と、
前記第３の表示制御工程で表示された名称のなかから少なくとも１つの名称が指定された場合に、当該指定された名称が前記第１種別の相手先情報に含まれるものか、または前記第２種別の相手先情報に含まれるものかを判別する判別工程と、
前記判別工程での判別の結果、前記指定された名称が前記第１種別の相手先情報に含まれるものである場合は、当該指定された名称に対応する電話番号を用いてファクシミリ送信を行うよう前記ファクシミリ送信工程を制御し、前記指定された名称が前記第２種別の相手先情報に含まれるものである場合は、当該指定された名称に対応するメールアドレスを用いて電子メール送信を行うよう前記電子メール送信工程を制御する制御工程と、
を備えることを特徴とするファクシミリ装置の制御方法。
【請求項５】
前記第１乃至第３の表示制御工程では、ユーザによるキー操作に応じて名称を１つずつ切り替えて表示することを特徴とする請求項４に記載のファクシミリ装置の制御方法。
【請求項６】
前記所定の順序とは、アルファベット順であることを特徴とする請求項４または５に記載のファクシミリ装置の制御方法。
【発明の詳細な説明】
【０００１】
【発明の属する技術分野】
本発明は、少なくとも、公衆回線網を介してファクシミリ情報を送信する第１の送信モードと、ネットワークを介して電子メールを送信する第２の送信モードとを有するファクシミリ装置およびその制御方法に関する。
【０００２】
【従来の技術】
従来、ファクシミリ装置においては、電話帳と呼ばれるテーブルに相手先の名称とその電話番号を登録し、ファクシミリ送信を行う際には、テーブルを検索して所望の相手先の電話番号を見出すことが可能な電話帳機能が設けられている。
【０００３】
【発明が解決しようとする課題】
近年、公衆回線網だけでなく、ＬＡＮ、インターネットにも接続可能なファクシミリ装置が登場している。このファクシミリ装置は、ＬＡＮまたはインターネットに収容されているメールサーバを経由して画像が添付された電子メールを送信することが可能である。このような電子メールの送信が可能なファクシミリ装置においては、相手先のメールアドレスおよび電話番号を相手先名称と対応付けて電話帳に登録することが考えられるが、この方法では、高い利便性を得ることができない。
【０００４】
本発明の目的は、送信相手先を選択する際の利便性を向上させることができるファクシミリ装置およびその制御方法を提供することにある。
【０００５】
【課題を解決するための手段】
本発明は、少なくとも、公衆回線網を介してファクシミリ情報を送信する第１の送信モードと、ネットワークを介して電子メールを送信する第２の送信モードとを有するファクシミリ装置において、名称と電話番号とを含む第１種別の相手先情報、および名称とメールアドレスとを含む第２種別の相手先情報を登録する登録手段と、前記第１の送信モードと前記第２の送信モードのうち、いずれか一方の送信モードを選択する送信モード選択手段と、前記送信モード選択手段により前記第１の送信モードが選択された場合は、前記登録手段に登録された相手先情報のうち前記第１種別の相手先情報を読み出し、当該読み出した相手先情報に含まれる名称を、各名称に含まれる文字列に従った所定の順序で表示する第１の表示制御手段と、前記第１の表示制御手段により表示された名称のなかから少なくとも１つの名称が指定された場合に、当該指定された名称に対応する電話番号を用いてファクシミリ送信を行うファクシミリ送信手段と、前記送信モード選択手段により前記第２の送信モードが選択された場合は、前記登録手段に登録された相手先情報のうち前記第２種別の相手先情報を読み出し、当該読み出した相手先情報に含まれる名称を、各名称に含まれる文字列に従った所定の順序で表示する第２の表示制御手段と、前記第２の表示制御手段により表示された名称のなかから少なくとも１つの名称が指定された場合に、当該指定された名称に対応するメールアドレスを用いて電子メール送信を行う電子メール送信手段と、前記送信モード選択手段により前記第１の送信モード及び前記第２の送信モードのいずれも選択されない場合は、前記登録手段に登録された前記第１種別の相手先情報及び前記第２種別の相手先情報を読み出し、当該読み出した相手先情報に含まれる名称を、各名称に含まれる文字列に従った所定の順序で、前記第１種別の相手先情報に含まれる名称と前記第２種別の相手先情報に含まれる名称とを混在させて表示する第３の表示制御手段と、前記第３の表示制御手段により表示された名称のなかから少なくとも１つの名称が指定された場合に、当該指定された名称が前記第１種別の相手先情報に含まれるものか、または前記第２種別の相手先情報に含まれるものかを判別する判別手段と、前記判別手段による判別の結果、前記指定された名称が前記第１種別の相手先情報に含まれるものである場合は、当該指定された名称に対応する電話番号を用いてファクシミリ送信を行うよう前記ファクシミリ送信手段を制御し、前記指定された名称が前記第２種別の相手先情報に含まれるものである場合は、当該指定された名称に対応するメールアドレスを用いて電子メール送信を行うよう前記電子メール送信手段を制御する制御手段と、を備えることを特徴とする。
【０００６】
また、本発明は、ファクシミリ装置の制御方法を提供する。
【００３１】
【発明の実施の形態】
以下、本発明の実施の形態について図を参照しながら説明する。
【００３２】
（実施の第１形態）
図１は本発明の実施の第１形態に係るファクシミリ装置の構成を示すブロック図、図２は図１のファクシミリ装置に保持されている電話帳の構成例を示す図、図３は図１のファクシミリ装置において出力されるメールアドレスリストの一例を示す図、図４は図１のファクシミリ装置の電話帳の他の構成例を示す図である。
【００３３】
ファクシミリ装置は、図１に示すように、選択信号（ダイヤルパルスまたはトーンダイヤラ）をＰＳＴＮ回線（アナログ公衆回線網）１０９に送出する機能を有するとともに、呼出信号の検出による自動着信動作を行う網制御装置（以下、ＮＣＵという）１０８と、ＰＳＴＮ回線１０９を介してファクシミリ送受信信号の変復調を行うモデム１０７と、ＩＳＤＮ回線（総合デジタル網）１１１と接続するための回線制御を行うＣＣＵ１１０と、送信する原稿画像を読み取るためのスキャナ１１３と、受信した画像およびファイルデータを記録紙に記録するプリンタ１１６と、インターネット、ＬＡＮなどのネットワーク１１１に接続するためのＬＡＮＩ／Ｆ（インターフェィス）１１７と、ＣＰＵ１０１とを備える。
【００３４】
スキャナ１１３は、ＣＳイメージセンサ、原稿搬送機構などを有し、原稿を光学的に読み取って電気信号に変換し、この電気信号を画像データに変換した後に出力する。スキャナ１１３から出力された画像データは、画像処理部１１２に入力される。画像処理部１１２は入力された画像データに補正処理を施し、この補正処理後の画像データは、必要に応じてＤＲＡＭ１０４に一旦蓄積される。ＤＲＡＭ１０４に蓄積された画像データは、モデム１０７により変調された後に、ファクシミリ画像としてＰＳＴＮ回線１０９に送出される。また、ＤＲＡＭ１０４の画像は、電子メールに添付され、この電子メールはＬＡＮＩ／Ｆ１１７を介してネットワーク１１８に送出される。
【００３５】
また、ＤＲＡＭ１０４には、ＰＳＴＮ回線１０９から受信した画像またはネットワーク１１９から受信した電子メールに添付された画像が格納され、これら画像は、プリンタフォーマッタ１１５を経てプリンタ１１６に送られ、プリンタ１１６により記録紙上に記録される。プリンタフォーマッタ１１５は、ワークステーションなどの外部機器から転送されたＰＤＬデータをプリントする際に、このＰＤＬデータをプリンタ１１６が処理可能な画像データに変換する処理を行う。
【００３６】
ＣＰＵ１０１は、ＲＯＭ１０２に格納されている制御プログラムに従い装置全体の制御とともに、ファクシミリ送受信、電子メール送受信、レポート生成、記録／読取、ユーザＩ／Ｆなどの制御を行う。ＣＰＵ１０１の作業領域としては、ＲＡＭ１０３が用いられる。また、ＲＡＭ１０３には、電話帳などの各種情報が格納される。
【００３７】
このＣＰＵ１０１に対する指示入力は、操作部１１４を介して行われる。この操作部１１４は、キーボード、タッチパネルなどから構成され、各種設定のための情報などを入力するための入力操作が可能である。この操作部１１４の入力操作に応じて対応する信号が生成され、この信号はＣＰＵ１０１に入力される。また、ユーザにより設定された情報、動作状態、ユーザへの通知情報などは、外部表示部１０５に表示される。この外部表示部１０５は、ＬＣＤ（液晶表示パネル）、ＬＥＤなどを有する。さらに、ユーザへの通知音、警告音などを発するためのスピーカ１０６が設けられている。
【００３８】
本実施の形態は、電話番号およびメールアドレスの内の少なくとも一方と対応付けられた複数の相手先名称が登録されている電話帳を有し、この電話帳はＲＡＭ１０３に格納されている。この電話帳には、例えば図２に示すように、各相手先毎に相手先名称および通信宛先が記述されている。この通信宛先は、電話番号およびメールアドレスの内の少なくとも一方を含む。本例では、相手先１に対しては、相手先名称として「Yamada taro」が、そして通信宛先として、電話番号およびメールアドレスが記述されている。また、相手先２の通信宛先の欄には、メールアドレスのみが記述され、相手先３の通信宛先の欄には、電話番号のみが記述されている。
【００３９】
本実施の形態では、操作部１１４から入力された文字列をキーワードとして電話帳に登録されている相手先名称を検索し、この検索された相手先名称およびそれに対応付けられた電話番号、メールアドレスを外部表示部１０５に表示し、この表示された相手先名称を用いて送信相手先を指定する。
【００４０】
また、ファクシミリ送信か電子メール送信かに応じて検索条件が変更される。
具体的には、電子メール送信が選択されたときには、電話帳に登録されている複数の相手先名称の内のメールアドレスを含む相手先名称を検索対象とする。これに対し、ファクシミリ送信が選択されたときには、電話帳に登録されている複数の相手先名称の内の電話番号を含む相手先名称を検索対象とする。
【００４１】
次に、電話帳を用いて相手先を指定する際の手順について説明する。ここでは、スキャナ１１３で読み取られた画像を電子メールに添付し、ネットワーク１１８を介して電子メールを電話帳に登録されている相手先に送信する場合について説明する。
【００４２】
まず、ユーザにより操作部１１４から、電話帳（図２に示す）の相手先名称を検索するための文字列が入力されと、この入力された文字列をキーワードとして電話帳に登録されている相手先名称の検索が行われる。ここで、電子メール送信が選択されているので、この検索において、メールアドレスを含む相手先１，２が対象とされる。そして、入力された文字列から相手先１の「Yamada taro」が検索されたとすると、相手先名称「Yamada taro」とその電話番号およびメールアドレスが外部表示部１０５に表示される。この表示された相手先名称を電子メールの送信先と指定する場合には、この表示領域がタッチされる。これにより、この相手先名称のメールアドレスが指定されて入力されることになる。
【００４３】
なお、上記電話帳を用いた例では、検索により1つの相手先名称が見出されているが、複数の候補が見出される場合もある。そのよう場合には、見出された全ての候補が表示されることになる。
【００４４】
また、ＰＳＴＮ回線を介したファクシミリ送信の場合には、電話番号を含む相手先１，３が検索対象となる。
【００４５】
さらに、本実施の形態は、送信結果レポートまたは通信管理レポートをプリンタ１１６により出力する機能を有し、上記電話帳を検索して送信相手先を指定したときには、送信結果レポートまたは通信管理レポートの送信相手先の欄に、この送信相手先が上記電話帳を検索して指定した相手先であることを示す情報（例えば文字、記号）を付加することが可能である。
【００４６】
さらに、本実施の形態は、電話帳をリスト出力する機能を有する。具体的には、電話帳に登録されている複数の相手先名称を、電話番号およびメールアドレスを含む相手先名称、電話番号を含む相手先名称、メールアドレスを含む相手先名称のそれぞれに区分し、それぞれを個別にリストとして出力する。また、区分された相手先名称をそれぞれ所定順に並び替え、その並び替えた順に相手先名称およぶそれに含まれる電話番号およびメールアドレスまたはいずれか一方を記述したリストを出力することが可能である。例えば、メールアドレスを含む相手先名称のリストとしては、図３に示すメールアドレスリストが出力される。このメールアドレスリストには、アイウエオ順に相手先名称が記述され、各相手先名称に対する相手のアドレスなどが記述されている。
【００４７】
さらに、上記電話帳に代えて、図４に示す電話帳を用いることも可能である。
この図４に示す電話帳においては、複数の相手先名称にそれぞれ対応付けて相手先へのファクシミリ送信および電子メール送信の可不可を示す情報が登録されている。例えば、相手先２に関しては、電話番号を有するが、この電話番号によりファクシミリ送信を行うことができないことが示されている。また、そのメールアドレスを用いた電子メールの送信は可能であることが示されている。
【００４８】
このような構成の電話帳を用いる場合、検索された相手先名称を外部表示部１０５に表示するが、この検索された相手先名称の電話番号を用いたファクシミリ送信が不可能である場合には、この相手先名称の相手先を送信先として指定することを禁止するように設定する。例えば、電話番号を用いたファクシミリ送信が不可能である相手先名称の相手先を送信相手先とする指定を受付けないように構成すればよい。
【００４９】
このように、本実施の形態では、操作部１１４から入力された文字列をキーワードとして電話帳に登録されている相手先名称を検索し、この検索された相手先名称およびそれに対応付けられた電話番号、メールアドレスを外部表示部１０５に表示し、この表示された相手先名称を用いて送信相手先を指定するので、送信相手先を選択する際の利便性を向上させることができる。
【００５０】
また、ファクシミリ送信か電子メール送信かに応じて検索条件が変更されるので、送信モードに対応する相手先名称を容易に検索することができる。
【００５１】
（実施の第２形態）
次に、本発明の実施の第２形態について図５および図１１を参照しながら説明する。図５は本発明の実施の第２形態に係るファクシミリ装置の構成を示すブロック図、図６は図５のファクシミリ装置の電子電話帳の一例を示す図、図７ないし図１１は図５のファクシミリ装置のＣＰＵ２２２による制御手順を示すフローチャートである。
【００５２】
ファクシミリ装置は、図５に示すように、電話回線２０２ａに接続されている網制御装置（以下、ＮＣＵという）２０２を備える。ＮＣＵ２０２は、電話網とのデータ通信などに使用するためにその回線端末へ接続するなどの電話交換網の接続制御、データ通信路への切換を行い、電話回線２０２ａと電話機２０４との接続（ＣＭＬオフ）、および電話回線２０２ａとハイブリット回路２０６との接続（ＣＭＬオン）を選択的に切り換える。ＮＣＵ２０２と電話機２０４とは信号線２０２ｂで接続され、ＮＣＵ２０２とハイブリット回路２０６とは信号線２０２ｃで接続される。ＮＣＵ２０２の切換動作は、後述するＣＰＵ２２２で制御され、通常状態では、電話回線２０２ａと電話機２０４との接続が選択されている。
【００５３】
ハイブリット回路２０６は、電話回線２０２ａを介して送信されるファクシミリ送信系からの送信信号と、電話回線２０２ａを介して受信されるファクシミリ受信系への受信信号とを分離する。
【００５４】
ファクシミリ送信系はスキャナ２１４を有し、スキャナ２１４は、原稿情報を読み取り、その読取りデータをバス２２６に出力する。この読取りデータはＲＡＭ２１８に一旦格納された後にＣＰＵ２２２により読み出されて符号化され、該符号化されたデータはバス２２６を介して変復調器２０８に出力される。
【００５５】
変復調器２０８は、バス２２６を介して入力された符号化データに対し変調処理を施して変調信号を生成し、またハイブリット回路２０６から信号線２０６ａを介して取り込まれた受信信号に対し復調処理を施して復調データを生成する。この変調処理および復調処理は、ITU-T勧告V.8，V.21，V．27ter，V.29，V.17，V.34に基づき行われる。変復調器２０８による変調、復調処理の内容はＣＰＵ２２２からバス２２６を介して与えられる信号によって指示され、この指示された変調、復調処理によって伝送モードが決定される。ＣＰＵ２２２からバス２２６を介して変復調器２０８に与えられる指示は、送信モード、受信モード、伝送速度などの指示である。
【００５６】
変復調器２０８で生成された変調信号は、加算回路２１２に信号線２０８ａを介して出力され、加算回路２１２は、変復調器２０８からの変調信号と発呼回路２１０から信号線２１０ａを介して入力した信号とを加算してハイブリット回路２０６に信号線２１２ａを介して出力する。発呼回路２１０は、ＣＰＵ２２２からバス２２６を介して入力された電話番号情報に応じてＤＴＭＦの選択信号を出力する。ハイブリット回路２０６は加算回路２１２からの加算された信号を送信信号としてＮＣＵ２０２経由で電話回線２０２ａに送出する。
【００５７】
これに対し、ファクシミリ受信系では、相手装置からＮＣＵ２０２経由で受信した信号がハイブリット回路２０６から信号線２０６ａを介して変復調器２０８に出力される。変復調器２０８は、上述したように、信号線２０６ａを介して取り込まれた受信信号に対し復調処理を施し、復調データを生成する。変復調器２０８で生成された復調データは、バス２２６を介してＣＰＵ２２２に与えられる。ＣＰＵ２２２は、復調データに対し復号化などの処理を施し、その復号化されたデータをＲＡＭ２１８にバス２２６を介して格納し、またはバス２２６を介してプリンタ２１６に出力する。プリンタ２１６は、バス２２６を介して取り込んだデータを順次１ライン毎に記録紙に記録する。
【００５８】
ＣＰＵ２２２は、ＲＯＭ２２４に格納されている制御プログラムに従い装置全体の制御を行うとともに、伝送制御手順を実行する。また、電話回線２０２ａを介したファクシミリ情報の送受信モードおよび画像が添付された電子メールの送受信モードの制御を行う。このＣＰＵ２２２による制御の作業領域としては、ＲＡＭ２１８が用いられる。また、ＲＡＭ２１８には、後述する電話帳を格納する領域が設けられている。さらに、ＲＡＭ２１８には、メモリ受信する情報を格納する領域が設けられている。
【００５９】
このＣＰＵ２２２に対する指示入力は操作部２２０を介して行われる。この操作部２２０は、機能設定キー、ワンタッチキー、短縮ダイヤルキー、テンキー、スタートーキー、ストップキー、各種情報登録キーなどを有し、これらのキー操作が行われると、対応する情報がバス２２６を介してＣＰＵ２２２に入力される。また、操作部２２０には、装置状態、宛先およびその電話番号情報、警告メッセージなどを表示する表示部（図示せず）が設けられている。
【００６０】
本実施の形態は、ファクシミリ情報の送信モードに対する宛先情報と、電子メールの送信モードに対する宛先情報とが登録された電子電話帳を有し、この電子電話帳はＲＡＭ２１８に格納されている。この電子電話帳には、図６に示すように、各ワンタッチダイヤル毎に対応付けられたニックネームおよび宛先情報が記述されている。本実施の形態では、電子電話帳に登録されている宛先情報を用いて送信相手先を指定する際に、電子電話帳の電話番号を用いて送信相手先を指定するか電子電話帳に登録されているメールアドレスを用いて送信相手先を指定するかに応じて電子電話帳から対応する宛先情報を表示するように制御する。
【００６１】
電子電話帳の電話番号を用いて送信相手先を指定する際には、電子電話帳の電話番号を含むニックネームが操作部２２０に表示され、この表示されたニックネームを指定する入力操作によって送信相手先が指定される。また、電子電話帳のメールアドレスを用いて送信相手先を指定する際には、電子電話帳のメールアドレスを含むニックネームが操作部２２０に表示され、この表示されたニックネームを指定する入力操作によって送信相手先が指定される。上記いずれの宛先情報の表示においても、そのニックネームが所定順（例えば、ＡＢＣ順）に表示される。
【００６２】
次に、ＣＰＵ２２２による制御について図７ないし図１１を参照しながら説明する。このＣＰＵ２２２による制御は、ＲＯＭ２２４に格納されている制御プログラムに従い実行される。
【００６３】
図７を参照するに、まずステップＳ２において、バス２２６を介してＲＡＭ２１８をイニシャライズし、続くステップＳ４で、バス２２６を介して操作部２２０の表示部をクリアする。そして、ステップＳ６で、バス２２６を介してＮＣＵ２０２のＣＭＬをオフする。
【００６４】
次いで、ステップＳ８に進み、操作部２２０からバス２２６を介して入力された情報に基づきワンタッチダイヤルの登録が選択されたか否かを判定し、ワンタッチダイヤルの登録が選択されたときには、ステップＳ１０に進み、ＲＡＭ２１８に、ワンタッチダイヤルに対応付けてニックネームおよび宛先情報（電話番号またはメールアドレス）を登録する。これにより、図６に示す電子電話帳への登録が行われることになる。そして、ステップＳ１２に進む。これに対し、ワンタッチダイヤルの登録が選択されていないときには、上記ステップＳ１０をスキップしてステップＳ１２に進む。
【００６５】
ステップＳ１２では、操作部２２０からバス２２６を介して入力された情報に基づき電子電話帳による発呼が選択されたか否かを判定し、電子電話帳による発呼が選択されていないときには、ステップＳ１４に進み、その他の処理を実行し、本処理を終了する。電子電話帳による発呼が選択されたときには、図８に示すステップＳ１６に進み、操作部２２０からバス２２６を介して入力された情報に基づき電子電話帳からのＥメールアドレスの選択か否かを判定し、Ｅメールアドレスが選択されたときには、ステップＳ２０に進み、操作部２２０の表示部に電子電話帳内のＥメールアドレスを含むニックネームの一覧を選択可能に表示する。図６に示す電子電話帳の例では、まずＥメールアドレスを含むニックネームの内の先頭のニックネーム「ＡＡＡ」が表示される。そして、アップ、ダウンキーの操作により、ニックネームがＥＥＥ、ＣＣＣ、ＡＡＡの順番で、またはその逆の順番で切り換えながら表示され、そして表示されたニックネームを指定する入力操作により相手先が指定される。
【００６６】
次いで、図９に示すステップＳ２４に進み、バス２２６を介してＮＣＵ２０２のＣＭＬをオンし、続くステップＳ２６で、対応するプロバイダに発呼する。そして、ステップＳ２８において、指定された相手先のＥメールアドレスを通知する。次いで、ステップＳ３０に進み、読取情報をＭＨ符号化してＴＩＦＦ．ファイル形式で電子メールに添付し、この電子メールをＳＭＴＰにより送信する。そして、上記ステップＳ６に戻る。
【００６７】
上記ステップＳ１６においてＥメールアドレスの選択でないと判定されると、ステップＳ１８に進み、電子電話帳からの電話番号の選択か否かを判定する。電子電話帳からの電話番号の選択であるときには、ステップＳ２２に進み、操作部２２０の表示部に電子電話帳内の電話番号を含むニックネームの一覧を選択可能に表示する。図６に示す電子電話帳の例では、まず電話番号を含むニックネームの内の先頭のニックネーム「ＢＢＢ」が表示される。そして、アップ、ダウンキーの操作により、ニックネームがＦＦＦ、ＤＤＤ、ＢＢＢの順番で、またはその逆の順番で切り換えながら表示され、そして表示されたニックネームを指定する入力操作により相手先が指定される。
【００６８】
次いで、図１０に示すステップＳ３２に進み、バス２２６を介してＮＣＵ２０２のＣＭＬをオンし、続くステップＳ３４で、指定された相手先の宛先に発呼し、そして、ステップＳ３６において前手順を実行する。次いで、ステップＳ３８に進み、画信号の読取り、そのファクシミリ送信を行い、続くステップＳ４０で、後手順を実行する。そして、上記ステップＳ６に戻る。
【００６９】
上記ステップＳ１８において電子電話帳からの電話番号の選択でないと判定されると、図１１に示すステップＳ４２に進み、操作部２２０の表示部に電子電話帳の全てのニックネームの一覧を表示する。図６に示す電子電話帳の例では、まず先頭のニックネーム「ＡＡＡ」が表示される。そして、アップ、ダウンキーの操作により、ニックネームがＦＦＦ、ＥＥＥ、ＤＤＤ、ＣＣＣ、ＢＢＢ、ＡＡＡの順番で、またはその逆の順番で切り換えながら表示される。
【００７０】
次いで、ステップＳ４４に進み、指定されたニックネームの判別を行う。ここで、指定されたニックネームがＡＡＡ、ＣＣＣ、ＥＥＥのいずれかであるときには、電子メールの送信であると判断して上記ステップＳ２４に進み、画像が添付された電子メールを送信する。これに対し、指定されたニックネームがＢＢＢ、ＤＤＤ、ＦＦＦのいずれかであるときには、ファクシミリ情報の送信であると判断して上記ステップＳ３２に進み、読み取った画像をファクシミリ送信する。
【００７１】
このように、本実施の形態では、電子電話帳に登録されている宛先情報を用いて送信相手先を指定する際に、電子電話帳の電話番号を用いて送信相手先を指定するか電子電話帳に登録されているメールアドレスを用いて送信相手先を指定するかに応じて電子電話帳から対応する宛先情報を表示するように制御するので、送信相手先を選択する際の利便性を向上させることができる。
【００７２】
【発明の効果】
以上説明したように、本発明によれば、送信相手先を選択する際の利便性を向上させることができる。
【図面の簡単な説明】
【図１】本発明の実施の第１形態に係るファクシミリ装置の構成を示すブロック図である。
【図２】図１のファクシミリ装置に保持されている電話帳の構成例を示す図である。
【図３】図１のファクシミリ装置において出力されるメールアドレスリストの一例を示す図である。
【図４】図１のファクシミリ装置の電話帳の他の構成例を示す図である。
【図５】本発明の実施の第２形態に係るファクシミリ装置の構成を示すブロック図である。
【図６】図５のファクシミリ装置の電子電話帳の一例を示す図である。
【図７】図５のファクシミリ装置のＣＰＵ２２２による制御手順を示すフローチャートである。
【図８】図５のファクシミリ装置のＣＰＵ２２２による制御手順を示すフローチャートである。
【図９】図５のファクシミリ装置のＣＰＵ２２２による制御手順を示すフローチャートである。
【図１０】図５のファクシミリ装置のＣＰＵ２２２による制御手順を示すフローチャートである。
【図１１】図５のファクシミリ装置のＣＰＵ２２２による制御手順を示すフローチャートである。
【符号の説明】
１０１，２２２  ＣＰＵ
１０２，２２４  ＲＯＭ
１０３，２１８  ＲＡＭ
１０５  外部表示部
１０７  モデム
１０８，２０２  ＮＣＵ
１１０  ＣＣＵ
１１３，２１４  スキャナ
１１４，２２０  操作部
１１６，２１６  プリンタ
１１７  ＬＡＮＩ／Ｆ
１１８  ネットワーク
２０２ａ  電話回線
２０８  変復調器
【図１】
0004593738.tif 000002
【図２】
0004593738.tif 000003
【図３】
0004593738.tif 000004
【図４】
0004593738.tif 000005
【図５】
0004593738.tif 000006
【図６】
0004593738.tif 000007
【図７】
0004593738.tif 000008
【図８】
0004593738.tif 000009
【図９】
0004593738.tif 000010
【図１０】
0004593738.tif 000011
【図１１】
0004593738.tif 000012